(57)【要約】【課題】  キーホルダーに係着しているキーや携帯電話などを容易かつ迅速に当該ホルダーから分離して使用できる態勢を採ることを可能にしたキーホルダーを提供すること。【解決手段】  結合，分離できる雌雄２部材ａ，ｂからなり、リリースノブ２を押せば結合状態が解かれるクイックリリースバックルＡにおける前記雌雄部材ａ，ｂのそれぞれに、２個以上の金属製の鎖用二重環６，８を連結し、先端に位置する二重環６，８の一方に金属製の両面クリップ７を、他方にキーなどを係着するための係止環９又は紐状の索10を、それぞれ連結したこと。【選択図】図１
0003107762.tif 000002
【実用新案登録請求の範囲】
【請求項１】
結合，分離できる雌雄２部材からなり、リリースノブを押せば結合状態が解かれるクイックリリースバックルにおける前記雌雄部材のそれぞれに、２個以上の金属製の鎖用二重環を連結し、先端に位置する二重環の一方に金属製の両面クリップを、他方にキーなどを係着するための係止環又は紐状の索を、それぞれ連結したことを特徴とするキーホルダー。
【請求項２】
二重環を連結した鎖に代えそれ以外の鎖又は紐による索体を雌雄部材のそれぞれに連結し、前記索のそれぞれの先端に、両面クリップと係止環又は紐状の索を連結した請求項１のキーホルダー。
【考案の詳細な説明】
【技術分野】
【０００１】
本考案は、係着保持乃至は連繋保持したキーや携帯電話などを迅速かつ容易に分離して使用状態にすることができるキーホルダーに関する。
【背景技術】
【０００２】
一般にキーホルダーは、キーの紛失などを防止するため、キーの握り部分に形成された穴にホルダーを繋ぐことによりキーの紛失や他の物品に混じって判別し難くなるのを防ぐために使用され、万一落してもホルダーが目立って容易に見つけることができたり、或は、バッグなどに仕舞い込んだキーを捜すときの手掛かりになるようにしたものである。
【０００３】
このようなキーホルダーの中には、キーホルダーの鎖や紐の部分をバッグなどの提げ手や衣服のベルト通しなどに結合することによりキーを付けたキーホルダー自体がバックや衣服からすぐには離脱することがないようにしたものがある。
【０００４】
この形式のキーホルダーは、キーを付けたままのキーホルダーを紛失し難いという利点がある一方、キーを使用するときには、キーホルダーを、それを結合している提げ手やベルト通などから離してやらなければ、キーが使い難い乃至はキーが使えないという問題がある。
【０００５】
この点は、ホルダーに係着する物品がキー以外の、例えば携帯電話の場合も同様である。特に携帯電話では、バックの提げ手に結合したホルダーに携帯電話を係着しているとき、着信があると手速く携帯電話をホルダーから外して使用できる状態にしないと、着信電話への応答ができないという問題がある。
【考案の開示】
【考案が解決しようとする課題】
【０００６】
そこで本考案では、キーホルダーに係着しているキーや携帯電話などを容易かつ迅速に当該ホルダーから分離して使用できる態勢を採ることを可能にしたキーホルダーを提供することを課題とする。
【課題を解決するための手段】
【０００７】
上記課題を解決することを目的としてなされた本考案キーホルダーの構成は、結合，分離できる雌雄２部材からなり、リリースノブを押せば結合状態が解かれるクイックリリースバックルにおける前記雌雄部材のそれぞれに、２個以上の金属製の鎖用二重環を連結し、先端に位置する二重環の一方に金属製の両面クリップを、他方にキーなどを係着するための係止環又は紐状の索を、それぞれ連結したことを特徴とするものである。
【考案の効果】
【０００８】
本考案は、リリースノブの押し操作で分離する雌雄部材が結合したクイックリリースバックルの両端に、金属製の鎖用二重環を連結すると共に、一方の二重環の先端に連結した金属製の両面クリップによりバッグの紐や衣服のポケットに結合し、他方の二重環の先端にキーや携帯電話などを係着する係止用の環や索などを設けてキーホルダーを形成したので、キーや携帯電話などを使用したいとき、前記バックルのリリースノブを指で押せば、このキーホルダーが、両面クリップの側と係着しているキーや携帯電話の側とに当該バックルの雌雄部材において直ちに分離するから、すぐにキーや携帯電話などを使用することが可能になる。
【考案を実施するための最良の形態】
【０００９】
次に本考案キーホルダーの実施の形態例について、図を参照して説明する。図１は本考案キーホルダーの一例の平面図、図２は図１のキーホルダーをクイックリリースバックルの雌雄部材で分離した状態の平面図である。
【００１０】
図１，図２において、Ａはクイックリリースバックル（以下、単にバックルＡという）で、次の構成を具備している。即ち、このバックルＡにおける雌部材ａは、後述する雄部材ｂを受入れてそれを係合保持するケース本体１と、このケース本体１の上面に形成したリリースノブ２と、ケース本体１の長さ方向の外側に形成された鎖や紐などを係合するための環状部３とを備えており、一方、雄部材ｂは、前記ケース本体１の内部に挿入されて係止される被係止舌片４と該舌片４の長さ方向の外側に形成された上記環状部３と同様の環状部５とを備えている。
【００１１】
上記バックルＡは、図２の分離状態において、雄部材ｂの被係止舌片４を雌部材ａのケース本体１の内部に挿入すると、その舌片４の先端部に形成した被係止段部4aがケース本体１の内面に形成されたラッチ片（図に表れず）に引掛かり、抜去不能に保持されて、雌雄両部材ａ，ｂが結合一体化される。
【００１２】
上記結合状態において、ケース本体１の上面に設けたリリースノブ２を下へ押すと、当該ノブ２の下面に形成されたリリース用の突起（図に表れず）が、上記段部4aの前端に形成されたリリース斜面4bを上から押して被係止段部4aとラッチ片との係合を解くと同時に、雄部材ｂを抜去側へ押出すので、当該雄部材ｂは雌部材ａのケース本体１から飛出すように分離される。
【００１３】
雌部材ａの環状部３には、金属製の小径二重環６が、図の例では５個連結され、先端に位置した二重環６に金属製の両面クリップ７が連結されている。
【００１４】
一方、雄部材ｂの環状部５にも、上記二重環６と同じ二重環８が、図の例では３個連結されると共に、先端の二重環８に、キーなどを係止する大きい径の係止環９が連結されていることにより本考案キーホルダーの一例を形成している。本考案において、連結する二重環６，８の個数は２個以上であれば、その使用個数は任意である。
【００１５】
上記例の本考案キーホルダーは、係止環９にキーＫの握りに形成された穴ｈを通してキーを係着し、この状態で両面クリップ７を、例えば衣服のポケットやバッグなどの出入れ口などに止めた態様で使用するものであるが、この状態でキーＫを使用したいとき、バックルＡのリリースノブ２を指先で下へ押すと、上述のようにバックルＡの雌雄部材ａ，ｂがワンタッチで分離されるので、キーＫを本考案キーホルダーから分離した状態で使用することができる。係止環９には、キーのほか、小型懐中電灯など、他の適宜物品を係着することができる。
【００１６】
上記の本考案キーホルダーに携帯電話を結合する場合には、上記係止環９に携帯電話のストラップを通して接続してもよいが、携帯電話係着用の索の一例として図３に例示した紐10を、係止環９に代えて雄部材ｂにおける先端の二重環８に連結してもよい。図３の紐10はループ状に丸めてその紐の両端を結束金具11で結合してあり、結束金具11に形成した結合用の穴11aを二重環８に通して本考案キーホルダーの別例に形成される。
【００１７】
本考案キーホルダーでは、上記の二重環６，８による鎖に代え、それ以外の鎖又は紐などによる索体を雌，雄部材ａ，ｂの環状部３，５に連結して形成することができる。
【産業上の利用可能性】
【００１８】
本考案は以上の通りであって、結合，分離できる雌雄２部材からなり、リリースノブを押せば結合状態が解かれるクイックリリースバックルにおける前記雌雄部材のそれぞれに、２個以上の金属製の鎖用二重環を連結し、先端に位置する二重環の一方に金属製の両面クリップを、他方にキーなどの係止環又は紐状の索を、それぞれ連結することにより、係着したキーや携帯電話などをいわばワンタッチで分離できるキーホルダーに形成したから、従来のキーホルダーのようにキーや携帯電話などを使用したいとき、いちいちキーホルダーをそれを取付けている部位から分離する手間がかからない利点があり、従って、キーや携帯電話などをバッグや着衣等に結合しておくキーホルダーとしてきわめて有用である。
【００１９】
また、クイックリリースバックルの両側に連結する鎖は、２つ以上の金属製二重環を連結して形成したので、強い引張力が作用しても、環が伸びて鎖が切れるといったトラブルも生じない利点がある。
【図面の簡単な説明】
【００２０】
【図１】本考案キーホルダーの一例の平面図。
【図２】図１のキーホルダーをクイックリリースバックルの雌雄部材で分離した状態の平面図。
【図３】係着用索の一例の平面図。
【符号の説明】
【００２１】
Ａ        クイックリリースバックル
ａ        バックルＡの雌部材
１        ケース本体
２        リリースノブ
３        環状部
ｂ        バックルＡの雄部材
４        被係止舌片
５        環状部
６，８    二重環
７        両面クリップ
９        係止環
10        紐
11        結束金具
【図１】
0003107762.tif 000003
【図２】
0003107762.tif 000004
【図３】
0003107762.tif 000005